(57)【要約】【課題】座り心地が改善され、かつ使用によるヘタリも少ない折り畳み座椅子を提供する。【解決手段】本体クッション２７の少なくとも座部クッション２３として、下側軟質ウレタンフォーム層２９Ａおよび上側軟質ウレタンフォーム層３０Ａの間に、下側軟質ウレタンフォーム層２９Ａより高硬度なポリエチレンフォーム層３２と、低反発チップウレタンフォーム層３１Ａとを下から順に積層したものを挟み込んでいる。これにより、ポリエチレンフォーム層３２による座部１１のヘタリが抑制され、床の上に直接座っているような底付き感を解消できるとともに、低反発チップウレタンフォーム層３１Ａによる座部１１の座り心地の良さも同時に得られる。【選択図】図１
0003210109.tif 000002
【実用新案登録請求の範囲】
【請求項１】
座部の芯材となる座部フレームと背もたれ部の芯材となる背もたれ部フレームとを、背もたれ部角度調節具により多段回動自在に連結した本体フレームと、前記座部フレームを被覆する座部クッションと、前記背もたれ部フレームを被覆する背もたれ部クッションとを有する本体クッションと、該本体クッションを被うクッションカバーとを備えた折畳み座椅子において、
前記本体クッションの少なくとも前記座部クッションが、下から順に、軟質ウレタンフォームからなる第１層と、該第１層より高硬度なポリエチレンフォームからなる第２層と、低反発チップウレタンフォームからなる第３層と、軟質ウレタンフォームからなる第４層とによって構成されたことを特徴とする折畳み座椅子。
【請求項２】
前記第２層は、見かけ密度が１０〜３０ｋｇ／ｍ３、厚さが１０ｍｍ〜５０ｍｍのポリエチレンフォームからなることを特徴とする請求項１に記載の折畳み座椅子。
【請求項３】
前記第３層は、ＪＩＳ−Ｋ−６４００−３：２０１１の反発弾性Ｒが１〜１５％、厚さが２０ｍｍ〜８０ｍｍの低反発チップウレタンフォームからなることを特徴とする請求項１または請求項２に記載の折畳み座椅子。
【請求項４】
前記座部の先端には使用者の足を支持する脚部が連結される一方、前記背もたれ部の先端には、使用者の頭部を支持するヘッド部が連結され、
前記脚部は、脚部角度調節具を介して、前記座部フレームの先端に多段回動自在に連結された脚部フレームと、該脚部フレームを被覆する脚部クッションとを有し、
前記ヘッド部は、ヘッド部角度調節具を介して、前記背もたれ部フレームの先端に多段回動自在に連結されたヘッド部フレームと、該ヘッド部フレームを被覆するヘッド部クッションとを有していることを特徴とする請求項１〜請求項３のうち、何れか１項に記載の折畳み座椅子。
【考案の詳細な説明】
【技術分野】
【０００１】
この考案は、折畳み座椅子、詳しくは背もたれ部の傾斜角度を変更可能な折畳み座椅子に関する。
【背景技術】
【０００２】
一般的な折り畳み座椅子として、例えば、特許文献１に記載されたものが知られている。これは、折畳み座椅子の骨組みとなる座部側の枠杆と背もたれ部フレームとを、背もたれ角度調節装置を介して連結した本体フレームを設け、本体フレームを軟質ウレタンフォーム製の本体クッションにより被覆したものである。
【先行技術文献】
【特許文献】
【０００３】
【特許文献１】実公平７−１１３号公報
【考案の開示】
【考案が解決しようとする課題】
【０００４】
しかしながら、特許文献１の折畳み座椅子は、座部側の枠杆を被覆する本体クッションとして、軟質ウレタンフォームのみが採用されていた。そのため、着座時、使用者の体重による座部の座面の沈み込みが大きく、座り心地に課題があった。また、軟質ウレタンフォームは使用による経年変化が大きい。そのため、座部がヘタリ易かった。
【０００５】
この考案は、このような問題点に鑑みなされたもので、座り心地が改善され、かつ使用によるヘタリも少ない折り畳み座椅子を提供することを目的としている。
【課題を解決するための手段】
【０００６】
請求項１に記載の考案は、座部の芯材となる座部フレームと背もたれ部の芯材となる背もたれ部フレームとを、背もたれ部角度調節具により多段回動自在に連結した本体フレームと、前記座部フレームを被覆する座部クッションと、前記背もたれ部フレームを被覆する背もたれ部クッションとを有する本体クッションと、該本体クッションを被うクッションカバーとを備えた折畳み座椅子において、前記本体クッションの少なくとも前記座部クッションが、下から順に、軟質ウレタンフォームからなる第１層と、該第１層より高硬度なポリエチレンフォームからなる第２層と、低反発チップウレタンフォームからなる第３層と、軟質ウレタンフォームからなる第４層とによって構成されたことを特徴とする折畳み座椅子である。
【０００７】
請求項２に記載の考案は、前記第２層は、見かけ密度が１０〜３０ｋｇ／ｍ３、厚さが１０ｍｍ〜５０ｍｍのポリエチレンフォームからなることを特徴とする請求項１に記載の折畳み座椅子である。
【０００８】
請求項３に記載の考案は、前記第３層は、ＪＩＳ−Ｋ−６４００−３：２０１１の反発弾性Ｒが１〜１５％、厚さが２０ｍｍ〜８０ｍｍの低反発チップウレタンフォームからなることを特徴とする請求項１または請求項２に記載の折畳み座椅子である。
【０００９】
請求項４に記載の考案は、前記座部の先端には使用者の足を支持する脚部が連結される一方、前記背もたれ部の先端には、使用者の頭部を支持するヘッド部が連結され、前記脚部は、脚部角度調節具を介して、前記座部フレームの先端に多段回動自在に連結された脚部フレームと、該脚部フレームを被覆する脚部クッションとを有し、前記ヘッド部は、ヘッド部角度調節具を介して、前記背もたれ部フレームの先端に多段回動自在に連結されたヘッド部フレームと、該ヘッド部フレームを被覆するヘッド部クッションとを有していることを特徴とする請求項１〜請求項３のうち、何れか１項に記載の折畳み座椅子である。
【００１０】
折畳み座椅子とは、床（畳を含む）に設置される座部の後側に、背もたれ部が多段階に回動（起倒）自在に設けられたリクライニングチェアである。
折畳み座椅子の全長は限定されない。例えば、８０ｃｍ〜２００ｃｍ、好ましくは１００ｃｍ〜１５０ｃｍ、さらに好ましくは１２０ｃｍ〜１４０ｃｍである。
折畳み座椅子の幅は限定されない。例えば、３０ｃｍ〜１００ｃｍ、好ましくは４０ｃｍ〜８０ｃｍ、さらに好ましくは５０ｃｍ〜６０ｃｍである。
折畳み座椅子の厚さは、例えば、５０ｍｍ〜２００ｍｍ、好ましくは８０ｍｍ〜１５０ｍｍ、さらに好ましくは１００ｍｍ〜１３０ｍｍである。
【００１１】
座部のサイズは限定されない。例えば、座部の長さを３０ｃｍ〜１００ｃｍ、好ましくは５０ｃｍ〜８０ｃｍ、さらに好ましくは６０ｃｍ〜７０ｃｍとしてもよい。
背もたれ部のサイズは限定されない。例えば、背もたれ部の長さを３０ｃｍ〜１００ｃｍ、好ましくは５０ｃｍ〜８０ｃｍ、さらに好ましくは６０ｃｍ〜７０ｃｍとしてもよい。
脚部およびヘッド部のサイズは限定されない。例えば、脚部およびヘッド部の長さを１０ｃｍ〜３０ｃｍ、好ましくは１５ｃｍ〜２５ｃｍ、さらに好ましくは２０ｃｍ前後としてもよい。
【００１２】
本体フレームの形状は、折畳み座椅子の骨組みとしての機能を果たせば任意である。
座部フレーム、背もたれ部フレーム、脚部フレームおよびヘッド部フレームの素材としては、例えば、ステンレス、鉄、アルミニウム合金といった各種の金属パイプを採用することができる。
背もたれ部角度調節具、脚部角度調節具およびヘッド部角度調節具とは、対応する背もたれ部、脚部およびヘッド部を多段階（２段以上）に回動自在とするための構造体で、例えば、ラチェット式のものなどを採用することができる。
ここでいう“多段回動”とは、水平軸を中心にして、対応する背もたれ部等が２〜８０段、好ましくは１０〜６０段、さらに好ましくは３０〜５０段の間欠的な回動を行うことをいう。
【００１３】
本体クッションのうち、４層構造体（第１層〜第４層）は座部のみでも、座部と背もたれ部との両方でもよい。その他、脚部およびヘッド部を有する場合には、これらの何れかまたは両方を４層構造体としてもよい。
第１層および第４層の素材である軟質ウレタンフォームとしては、例えば、発泡倍率が１０〜６０倍、見かけ密度が１０〜５０ｋｇ／ｍ３のものを採用することができる。
第１層および第４層の厚さは任意である。例えば、５ｍｍ〜５０ｍｍである。
第２層であるポリエチレンフォームとしては、例えば、発泡倍率５〜５０倍、見かけ密度１０〜１００ｋｇ／ｍ３、特に１５〜３０ｋｇ／ｍ３のものを採用することができる。
ポリエチレンフォームの硬度は、第１層の軟質ウレタンフォームの硬度より大きければ任意である。例えば、第１層の硬度の１．５倍以上、好ましくは３倍〜１０倍である。
ポリエチレンフォームは、連続気泡のものでも、独立気泡のものでもよい。
第２層の厚さは任意である。ただし、１０ｍｍ〜５０ｍｍが好ましい。１０ｍｍ未満では、薄過ぎて使用時にヘタリの改善が十分ではない。また、５０ｍｍを超えれば、厚過ぎて使用感が低下する。第２層のさらに好ましい厚さは１２ｍｍ〜４０ｍｍである。
【００１４】
低反発チップウレタンフォームとは、軟質ウレタンフォームの一種で、ポリオール類、ポリイソシアネート類、発泡剤、整泡剤、着色剤等の組み合わせ、その混合割合、その製造条件等を適宜選択することにより製造された低反発ウレタンフォームをチップ状にしたもの、またはそのチップをシート状に加工したものである。
低反発フォームの構造は、気泡が連通し、圧縮後に外力を取り除いたとき、ゆっくりと形状が元に戻る性質があり、一般フォームに比較して反発弾性率が小さい。その結果、低反発フォームは衝撃吸収性、制振性、体圧分散性、吸音性、断熱性等の特性を有している。
【００１５】
低反発フォームの反発弾性Ｒ（低反発弾性ＲＬ）は１５％以下（ＪＩＳ−Ｋ−６４００−３：２０１１）であれば任意である。例えば、８〜１３％である。
第３層の厚さは任意である。例えば、１０ｍｍ〜１００ｍｍ、好ましくは２０ｍｍ〜８０ｍｍ、さらに好ましくは３０ｍｍ〜６０ｍｍである。
【００１６】
本体クッションは、一般的にシート状のクッションカバーにより被覆されている。
クッションカバーの素材は任意である。例えば、各種の織布、各種の不織布、各種の編布といった布材（布帛）を採用することができる。その他、ニット素材、ダリアン生地、皮革（天然皮革、合成皮革を含む）、合成樹脂シートでもよい。カバーシートは単層体でも、同一素材または異なる素材を重ね合わせた複層体でもよい。
【考案の効果】
【００１７】
この考案によれば、本体クッションのうち、少なくとも座部クッションとして、軟質ウレタンフォームからなる第１層および第４層の間に、第１層より高硬度な第２層のポリエチレンフォームを下層とし、かつ第３層の低反発チップウレタンフォームを上層として積層した積層体を挟み込んだものを採用している。これにより、第２層のポリエチレンフォームによる座部のヘタリを抑制することで、床の上に直接座っているような底付き感を解消することができるとともに、第３層の低反発チップウレタンフォームによる座部の座り心地の良さとを同時に満足させる折畳み座椅子を得ることができる。
【００１８】
特に、請求項２に記載の考案によれば、第２層として、見かけ密度が１０〜３０ｋｇ／ｍ３、厚さが１０ｍｍ〜５０ｍｍのポリエチレンフォームからなるものを採用したため、主材がウレタンフォームの座部クッションに、座部しての好適な硬度を付与し、ヘタリの抑制効果をさらに高めることができる。
【００１９】
また、請求項３に記載の考案によれば、第３層として、ＪＩＳ−Ｋ−６４００−３：２０１１の反発弾性Ｒが１〜１５％、厚さ２０ｍｍ〜８０ｍｍの低反発チップウレタンフォームからなるものを採用したため、第１層より硬いポリエチレンフォームを有しているものの、座部としてさらに良好な座り心地を付与することができる。
【００２０】
さらに、請求項４に記載の考案によれば、座部の先端に脚部を多段調節可能に連結し、かつ背もたれ部の先端にヘッド部を多段調節可能に連結したため、使用者の体形に合わせて脚部およびヘッド部の連結角度を変更することができる。
【図面の簡単な説明】
【００２１】
【図１】この考案の実施例１に係る折畳み座椅子の一部を切欠した斜視図である。
【図２】この考案の実施例１に係る折畳み座椅子の一部を構成する座部クッションの要部拡大縦断面図である。
【考案を実施するための形態】
【００２２】
以下、この考案の実施例を具体的に説明する。
【実施例】
【００２３】
図１および図２において、１０はこの考案の実施例１に係る折畳み座椅子で、この折畳み座椅子１０は、使用者が着座する座部１１と、座部１１の基端（後端）に連結されて、使用者の背中を支持する背もたれ部１２と、座部１１の先端（前端）に連結されて、使用者の主に大腿部を支持する脚部１３と、背もたれ部１２の先端に連結されて、使用者の頭部を支持するヘッド部１４とを備えている。
【００２４】
以下、これらの構成体を具体的に説明する。
折畳み座椅子１０は、座部１１の芯材となる座部フレーム１５と背もたれ部１２の芯材となる背もたれ部フレーム１６とを、左右一対の背もたれ部角度調節具１７により多段回動自在に連結し、座部フレーム１５の先端に左右一対の脚部角度調節具１８を介して脚部フレーム１９を多段回動自在に連結し、かつ背もたれ部フレーム１６の先端に、左右一対のヘッド部角度調節具２０を介して、ヘッド部フレーム２１を多段回動自在に連結した本体フレーム２２と、座部フレーム１５を被覆する座部クッション２３と、背もたれ部フレーム１６を被覆する背もたれ部クッション２４と、脚部フレーム１９を被覆する脚部クッション２５と、ヘッド部フレーム２１を被覆するヘッド部クッション２６とを有する本体クッション２７と、本体クッション２７を被うクッションカバー２８とを備えたものである。
【００２５】
以下、これらの構成体を具体的に説明する。
図１に示すように、折畳み座椅子１０は、フラット時の全長（奥行き）が１４０ｃｍ、幅が５５ｃｍ、最大厚さが１２０ｍｍのものである。また、リクライニング時のサイズは、奥行きが７０ｃｍ、高さが７０ｃｍ、幅が５５ｃｍ、最大厚さが１２０ｍｍのものである。折畳み座椅子１０の重量は約７ｋｇである。
座部フレーム１５および背もたれ部フレーム１６は、それぞれスチールパイプからなる略正方形の大型枠体である。また、脚部フレーム１９およびヘッド部フレーム２１は、それぞれスチールパイプからなる折畳み座椅子１０の幅方向に長い（横長な）小型枠体である。
各背もたれ部角度調節具１７は、ラチェット構造を有する２°ピッチで角度調節可能な４２段階式のものである。また、各脚部角度調整具１８および各ヘッド部角度調整具２０は、それぞれギヤ構造を有する６°ピッチで角度調節可能な１４段階式のものである。
【００２６】
背もたれ部クッション２４およびヘッド部クッション２６は、下側軟質ウレタンフォーム層２９と上側軟質ウレタンフォーム層３０との間に、低反発チップウレタンフォーム層３１を挟み込んだ３層構造のものである。なお、低反発チップウレタンフォーム層３１を挟まない２層構造、または、各軟質ウレタンフォーム２９，３０を一体化した１層構造でもよい。
各軟質ウレタンフォーム層２９，３０は、見かけ密度が１５ｋｇ／ｍ３、厚さが２０ｍｍのものである。低反発チップウレタンフォーム層３１は、見かけ密度が４０ｋｇ／ｍ３、反発弾性Ｒ（低反発弾性ＲＬ）が１５％、復元率が９７％以上、厚さが８０ｍｍの低反発ウレタンフォームのチップから得られたものである。ここでいう“反発弾性”は、ＪＩＳ−Ｋ−６４００−３：２０１１に準ずる。なお、背もたれ部クッション２４は、座椅子長さ方向の長さが１コブ約２０ｃｍの２コブ式のクッションである。背もたれ部クッション２４およびヘッド部クッション２６は、軟質ウレタンフォームのみで設けてもよい。
【００２７】
また、図２に示すように、座部クッション２３および脚部クッション２５は、下側軟質ウレタンフォーム層（第１層）２９Ａと上側軟質ウレタンフォーム層（第４層）３０Ａとの間に、下から順にポリエチレンフォーム層（第２層）３２と、低反発チップウレタンフォーム層（第３層）３１Ａとを挟み込んだ４層構造のものである。座部クッション２３は、座椅子長さ方向の長さが１コブ約２０ｃｍの２コブ式のクッションである。
各軟質ウレタンフォーム２９Ａ，３０Ａは、見かけ密度が１５ｋｇ／ｍ３、厚さが２０ｍｍのものである。ポリエチレンフォーム層３２は、見かけ密度が２０ｋｇ／ｍ３、厚さが３０ｍｍのものである。低反発チップウレタンフォーム層３１Ａは、見かけ密度が４０ｋｇ／ｍ３、反発弾性Ｒ（低反発弾性ＲＬ）が１５％、復元率が９７％以上、厚さが５０ｍｍのものである。
【００２８】
なお、背もたれ部クッション２４およびヘッド部クッション２６の下側軟質ウレタンフォーム層２９と、座部クッション２３および脚部クッション２５の下側軟質ウレタンフォーム層２９Ａとは、同じ軟質ウレタンフォームにより一体成形されている。一方、背もたれ部クッション２４およびヘッド部クッション２６の上側軟質ウレタンフォーム層３０と、座部クッション２３および脚部クッション２５の上側軟質ウレタンフォーム層３０Ａとも、同じ軟質ウレタンフォームにより一体成形されている。さらに、背もたれ部クッション２４およびヘッド部クッション２６の低反発チップウレタンフォーム層３１と、座部クッション２３および脚部クッション２５の低反発チップウレタンフォーム層３１Ａとも、同じ低反発チップウレタンフォームにより一体的に設けられている。もちろん、これらは別々に設けてもよい。
クッションカバー２８は、本体クッション２７の全体を包み込むニット生地からなる。
【００２９】
次に、図１および図２を参照して、この実施例１に係る折畳み座椅子１０の使用方法を説明する。
図１に示すように、折畳み座椅子１０の使用時には、使用者の体型やそのときの気分に応じて、各背もたれ部角度調節具１７によって背もたれ部１２を２°ピッチで角度調節する。また同様に、脚部１３およびヘッド部１４を、対応する各脚部角度調節具１８または各ヘッド部角度調節具２０によって、６°ピッチで好みの傾斜角度に調節する。
背もたれ部１２およびヘッド部１４には、各軟質ウレタンフォーム２９，３０の間に、低反発チップウレタンフォーム層３１を挟み込んだ３層構造体を採用している。そのため、背もたれ部１２およびヘッド部１４において、低反発ウレタンフォーム独特の心地良さ（衝撃吸収素材としての体のラインに沿った沈み込み感、圧迫感の軽減など）が得られる。
【００３０】
座部クッション２３および脚部クッション２５は、各軟質ウレタンフォーム２９Ａ，３０Ａの間に、ポリエチレンフォーム層３２と、低反発チップウレタンフォーム層３１Ａとを挟み込んだ４層構造体を採用している。これにより、座部クッション２３および脚部クッション２５では、軟質ウレタンフォームより硬いポリエチレンフォーム層３２が座部１１のヘタリを抑制することで、床の上に直接座っているような底付き感を解消することができる。しかも、ポリエチレンフォーム層３２の上面に低反発チップウレタンフォーム層３１Ａが積層されているため、上述した低反発ウレタンフォーム独特の座部１１の座り心地の良さを同時に得ることができる。
【００３１】
また、ポリエチレンフォーム層３２として、見かけ密度が２０ｋｇ／ｍ３、厚さが３０ｍｍのポリエチレンフォームからなるものを採用したため、主材がウレタンフォームの座部クッション２３に、座部１１としての好適な硬度を付与し、ヘタリの抑制効果をさらに高めることができる。
さらに、低反発チップウレタンフォーム層３１Ａとして、ＪＩＳ−Ｋ−６４００−３：２０１１の反発弾性Ｒが１５％、厚さが５０ｍｍの低反発チップウレタンフォームからなるものを採用したため、下側軟質ウレタンフォーム層２９Ａより硬いポリエチレンフォーム層３２を有しているものの、座部１１としてさらに良好な座り心地を付与することができる。
さらにまた、座部１１の先端に脚部１３を各脚部角度調節具１８によって１４段階調節可能に連結し、かつ背もたれ部１２の先端にヘッド部１４を各ヘッド部角度調節具２０により１４段階調節可能に連結したため、使用者の体形や好みの姿勢に合わせて脚部１３およびヘッド部１４を変形させることができる。
【産業上の利用可能性】
【００３２】
この考案は、背もたれ部の傾斜角度を変更可能な折畳み座椅子の技術として有用である。
【符号の説明】
【００３３】
１０  折畳み座椅子
１１  座部
１２  背もたれ部
１３  脚部
１４  ヘッド部
１５  座部フレーム
１６  背もたれ部フレーム
１７  背もたれ部角度調節具
１８  脚部角度調節具
１９  脚部フレーム
２０  ヘッド部角度調節具
２１  ヘッド部フレーム
２２  本体フレーム
２３  座部クッション
２４  背もたれ部クッション
２５  脚部クッション
２６  ヘッド部クッション
２７  本体クッション
２８  クッションカバー
２９Ａ  下側軟質ウレタンフォーム層（第１層）
３０Ａ  上側軟質ウレタンフォーム層（第４層）
３１Ａ  低反発チップウレタンフォーム層（第３層）
３２  ポリエチレンフォーム層（第２層）
【図１】
0003210109.tif 000003
【図２】
0003210109.tif 000004